(57)【特許請求の範囲】
【請求項１】
一連の入力データを複数に分割しコード化して、複数の分割２次元コード画像を作成する分割２次元コード画像作成手段と、
前記複数の分割２次元コード画像を印刷すると共に、前記複数の分割２次元コード画像を一体に囲む枠画像であって、前記複数の分割２次元コード画像が一連の入力データである旨を指標する指標画像を、前記複数の分割２次元コード画像に付して印刷する印刷手段と、を備えたことを特徴とする印刷装置。
【請求項２】
一連の入力データを複数に分割しコード化して、複数の分割２次元コード画像を作成する分割２次元コード画像作成ステップと、
前記複数の分割２次元コード画像を印刷すると共に、前記複数の分割２次元コード画像を一体に囲む枠画像であって、前記複数の分割２次元コード画像が一連の入力データである旨を指標する指標画像を、前記複数の分割２次元コード画像に付して印刷する印刷ステップと、を備えたことを特徴とする印刷方法。
【請求項３】
請求項１に記載の印刷装置における各手段として、コンピュータを機能させること、または請求項２に記載の印刷方法をコンピュータに実行させることを特徴とするプログラム。
【発明の詳細な説明】
【技術分野】
【０００１】
本発明は、入力データに基づいて２次元コード画像を作成し、これを印刷する印刷装置、印刷方法およびプログラムに関するものである。
【背景技術】
【０００２】
従来、この種の印刷装置として、ＱＲコード画像等の２次元コード画像を作成し、これをラベル用紙に印刷するものが知られている（特許文献１参照）。ここで、ＱＲコード画像を作成する場合、印刷装置に入力された入力データをコード化して単一のＱＲコード画像を作成する方法の他、小さい幅のテープやラベル等に印刷する際、より多くの情報を持たせるために入力データを分割しコード化して複数の分割ＱＲコード画像からなる分割コードとして作成することも可能である。つまり、この印刷装置では、一連の入力データを単一のＱＲコード画像として印刷できると共に、複数の分割ＱＲコード画像として印刷することができるようになっている。
【発明の開示】
【発明が解決しようとする課題】
【０００３】
しかしながら、このような印刷装置では、単一のＱＲコード画像と複数の分割ＱＲコード画像とがそれぞれ同一サイズである場合、これらを、基準姿勢のまま並べてラベル用紙に印刷すると、これを１つずつ読み取るときに、それが分割ＱＲコード画像なのか単一のＱＲコード画像なのかは、読み取った結果でしか判別できない。そもそも、分割ＱＲコード画像と単一のＱＲコード画像とが混在していることすら不明である。このため、複数の分割ＱＲコード画像と単一のＱＲコード画像とが混在状態にある場合では、読み取り作業が、非常に煩わしいものとなっていた。
【０００４】
本発明は、複数の２次元コード画像が印刷されている場合、分割コードを構成する１の分割２次元コード画像であるのか、単一の２次元コード画像であるのかを容易に視認判別できるように印刷をする印刷装置、印刷方法およびプログラムを提供することを課題とする。
【課題を解決するための手段】
【００１３】
本発明の印刷装置は、一連の入力データを複数に分割しコード化して、複数の分割２次元コード画像を作成する分割２次元コード画像作成手段と、複数の分割２次元コード画像を印刷すると共に、複数の分割２次元コード画像を一体に囲む枠画像であって、複数の分割２次元コード画像が一連の入力データである旨を指標する指標画像を、複数の分割２次元コード画像に付して印刷する印刷手段と、を備えたことを特徴とする。
【００１４】
この構成によれば、指標画像により複数の分割２次元コード画像が分割コードを構成する１の分割２次元コード画像であるのか、単一の２次元コード画像であるのかを視認により判別することができる。これにより、複数の分割２次元コード画像の読み取り作業に手間がかかることがない。
【００１６】
この構成によれば、複数の分割２次元コード画像を枠画像で囲むことで、枠内の複数の分割２次元コード画像が分割コードを構成する１の分割２次元コード画像であるのか、単一の２次元コード画像であるのかを判別することができる。なお、枠画像は、コーナー部分が明確であれば、必ずしも連続している必要はない。
【００１９】
本発明の印刷方法は、一連の入力データを複数に分割しコード化して、複数の分割２次元コード画像を作成する分割２次元コード画像作成ステップと、複数の分割２次元コード画像を印刷すると共前記複数の分割２次元コード画像を一体に囲む枠画像であって、複数の分割２次元コード画像が一連の入力データである旨を指標する指標画像を、複数の分割２次元コード画像に付して印刷する印刷ステップと、を備えたことを特徴とする。
【００２０】
この構成によれば、複数の２次元コード画像が、それぞれ分割２次元コード画像であるのか、単一の２次元コード画像であるのかを容易に視認し判別できる。
【００２１】
本発明のプログラムは、上記の印刷装置における各手段をコンピュータに機能させること、または上記の印刷方法をコンピュータに実行させることを特徴とする。
【００２２】
この構成によれば、複数の２次元コード画像が、それぞれ分割２次元コード画像であるのか、単一の２次元コード画像であるのかを容易に視認し判別できるプログラムを提供することができる。
【発明を実施するための最良の形態】
【００２５】
以下、添付の図面を参照して、本実施形態に係る印刷装置について説明する。この印刷装置は、いわゆるテーププリンタであり、入力データに基づいて２次元コード画像やキャラクタ画像等を作成して、これらを印刷テープに印刷すると共に、印刷済み部分をカットして、ラベルを作成するためのものである。
【００２６】
図１および図２に示すように、テーププリンタ１は、印刷テープＴに対して印刷処理を行う装置本体２と、印刷テープＴおよびインクリボンＲを収容し、装置本体２に着脱自在に装着されるテープカートリッジＣとを備えている。
【００２７】
装置本体２は、装置ケース３により外殻が形成され、その内部に広く印刷処理部１０が構成されている。装置ケース３の前半部上面には、各種キー４を備えたキーボード５が配設されている。装置ケース３の後半部左上面には、開閉蓋６が広く設けられ、開閉蓋６の上面には、テープカートリッジＣの装着／非装着を視認するための覗き窓７が形成されると共に、開閉蓋６の前側にはこれを開放する蓋体開放ボタン８が設けられている。後半部右上面には、キーボード５からの入力結果等を表示する長方形のディスプレイ９が形成されている。
【００２８】
蓋体開放ボタン８を押して開閉蓋６を開放すると、その内部には、テープカートリッジＣが装着されるカートリッジ装着部１１が窪入形成されており、カートリッジ装着部１１には、テープカートリッジＣから繰り出される印刷テープＴに印刷処理を行う印刷ヘッド２１が配設されている（図２参照）。
【００２９】
装置ケース３の左側部には、カートリッジ装着部１１と装置外部とを連通するテープ排出口１２が形成され、このテープ排出口１２に臨んで装置ケース３には、印刷テープＴを切断するためのカッタユニット１４が内蔵されている。カッタユニット１４は、テープ排出口１２に臨むように配設されており、モータ駆動（フルカッタモータ１６）により、印刷テープＴをハサミ形式で切断するフルカッタ１５と、を備えている（図２参照）。
【００３０】
また、図示は省略するが、装置ケース３の右側部には、電源供給のための電源供給口と、図外のパーソナルコンピュータ等の外部装置と接続するためのコネクタが形成される。また、両図では省略したが、装置ケース３の内部には、装置本体２を統括制御する制御部４５（図３参照）を構成する回路基板が搭載されている。
【００３１】
カートリッジ装着部１１には、発熱素子を有しヘッドカバー２０に覆われた印刷ヘッド２１と、後述するテープリール３１の位置決めをする位置決め突起２２と、テープカートリッジＣの印刷テープＴおよびインクリボンＲを送り、印刷ヘッド２１に対峙するプラテン駆動軸２３、およびインクリボンＲを巻き取る巻取り駆動軸２４とが、突設され、またカートリッジ装着部１１の隅部には、複数のマイクロスイッチで構成されたテープ識別センサ２５（図３参照）が設けられている。また、カートリッジ装着部１１の底板の内側には、プラテン駆動軸２３および巻取り駆動軸２４を駆動する印刷送りモータ２６（図３参照）や減速ギア列等（図示省略）が内蔵されている。
【００３２】
テープカートリッジＣは、カートリッジケース３０の内部に、印刷テープＴを巻回したテープリール３１と、右下部にインクリボンＲを巻回したリボン繰出しリール３２およびリボン巻取りリール３３とを収容して構成されている。また、テープリール３１の左下部には印刷ヘッド２１を覆うヘッドカバー２０に差し込むための貫通孔３４が形成されている。さらに、印刷テープＴとインクリボンＲとが重なる部分に対応し、上記のプラテン駆動軸２３に嵌合して回転駆動するプラテンローラ３５が配置されている。また、カートリッジケースＣの裏面には、小さな複数の被検出孔（図示省略）が形成され、後述するテープ識別センサ２５によってこの複数の被検出孔が検出され、印刷テープＴの種別を識別できるようになっている。
【００３３】
テープカートリッジＣをカートリッジ装着部１１に装着すると、ヘッドカバー２０に貫通開口３４が、位置決め突起２２にテープリール３１が、巻取り駆動軸２４にリボン巻取りリール３３が、プラテン駆動軸２３にプラテンローラ３５が、それぞれ差し込まれ、この状態で開閉蓋６を閉蓋すると、これに連動して、印刷ヘッド２１が印刷テープＴおよびインクリボンＲを挟み込んでプラテンローラ３５に当接し、印刷待機状態となる。そして、印刷が開始されると、プラテン駆動軸２３および巻取り駆動軸２４が同期回転して、印刷テープＴおよびインクリボンＲを送りながら、印刷ヘッド２１により印刷処理が行われる。これと共に、リボン繰出しリール３２から繰り出されたインクリボンＲは、貫通孔３４の開口壁を周回してリボン巻取りリール３３に巻き取られる。印刷処理後の印刷テープＴは、印刷済み部分がフルカッタ１５によりカットされ、カットされた印刷テープＴがラベルとしてテープ排出口１２から外部に排出される。
【００３４】
印刷テープＴは、裏面に粘着剤層が塗着された記録テープＴ１と、この粘着剤層により記録テープＴ１に貼付された剥離テープＴ２とから構成されている。そして、ユーザは、印刷処理後に切り離された印刷テープＴのテープ片から、剥離テープＴ２を引き剥がし、記録テープＴ１を被貼着物に貼付する。
【００３５】
ディスプレイ９は、ドットマトリクス型の液晶表示装置で構成されており、例えば、２５６ドット×８１ドットの表示画像データを表示可能な表示画面３７と、各種設定状況等を表示する複数のインジケータ（図示省略）とを有し、ユーザがキーボード５からデータを入力して、印刷画像（画像データ）を作成・編集したり、その結果等を視認したりする際に用いられる。
【００３６】
次に、図３を参照し、テーププリンタ１の制御系の構成について説明する。テーププリンタ１は、キーボード５およびディスプレイ９を有し、ユーザによる文字情報の入力や各種情報の表示等のユーザインタフェースをつかさどる操作部４０と、テープカートリッジＣ、印刷ヘッド２１および印刷送りモータ２６を有し、印刷テープＴおよびインクリボンＲを送りながら印刷テープＴ上に入力された文字情報に基づく印刷画像を印刷する印刷処理部４１と、フルカッタ１５およびこれらを駆動するフルカッタモータ１６を有し、印刷済みの印刷テープＴにフルカットを行う切断部４２と、テープ識別センサ２５等の各種センサを有し、各種検出を行う検出部４３と、ディスプレイドライバ５０、ヘッドドライバ５１、印刷送りモータドライバ５２、カッタモータドライバ５３を有し、各部を駆動する駆動部４４と、各部と接続され、テーププリンタ１全体を制御する制御部４５とにより構成されている。
【００３７】
制御部４５は、ＣＰＵ６０、ＲＯＭ６１、ＲＡＭ６２および入力制御装置６３（ＩＯＣ：Input Output Controller）を備え、互いに内部バス６４により接続されている。詳細は後述するが、ＲＯＭ６１は、キーボード５から入力された入力データ８０、誤り訂正率８１およびセルサイズに基づいて、２次元コード画像８２（ＱＲコード画像）を作成するコード画像作成プログラム７０（分割２次元コード画像作成手段）や、作成された２次元コード画像の回転角度を設定する回転角度設定プログラムおよび回転角度設定プログラムにより設定された回転角度に基づいてＱＲコード画像を回転させる回転実行プログラムから成るコード画像回転プログラム７１（コード画像回転手段）等の制御プログラムを記憶する制御プログラム領域６８のほか、装置内で用意しているキャラクタ（記号、数字、文字等）等を記憶する制御領域６９を有している。
【００３８】
ＲＡＭ６２は、制御処理のための作業領域として使用され、上記のコード画像回転プログラム７１において設定した回転角度８３を記憶する回転角度記憶領域７５や、作成された印刷画像を一時的に記憶される領域である印刷バッファ７６等を備えている。また、ＲＡＭ６２は、テーププリンタ１の電源がオフにされても記憶したデータを保持しておくように、図外のバックアップ回路によって電源の供給を受けるようになっている。
【００３９】
そして、ＣＰＵ６０はＲＯＭ６１内の制御プログラムにしたがって、ＩＯＣ６３を介してテーププリンタ１の各部から各種信号・データを入力する。また、入力した各種信号・データに基づいて、ＲＡＭ６２内の各種データを処理し、ＩＯＣ６３を介してテーププリンタ１内の各部に各種信号データを出力し、これにより印刷処理の制御等を行う。
【００４０】
また、本実施形態に係るテーププリンタ１では、上記のコード画像作成プログラム７０により、キーボード５から入力された入力データ８０に基づいて、２次元コード画像８２（画像データ）を作成することが可能である。つまり、このテーププリンタ１の発明の主要部分は、操作部４０および制御部４５によって実現されている。なお、２次元コードとしては、ＱＲコード、Ｍａｘｉコード、Ｖｅｒｉコード、データマトリクス、ＰＤＦ４１７等があるが、本実施形態では、例えば、ＱＲコード画像８２を作成する場合について説明する。図７に示すように、作成されるＱＲコード画像８２は、正方形を為しており、セル８６で構成されたデータ領域８７と、三隅に設けられている切り出しシンボル８８（請求項で言う姿勢マーク）と、データ領域８７を囲むマージン領域８９とで構成されている。また、ＱＲコード画像８２の印刷サイズを設定するパラメータとして、入力データのデータ量、セル８６の大きさ（セルサイズ）および誤り訂正率８１等がある。さらに、ＱＲコードの特徴として、分割連結機能を備えている。すなわち、このテーププリンタ１では、入力データ８０に基づいて単一のＱＲコード画像８２ａの作成が可能であると共に、入力データ８０を複数に分割して、複数の分割ＱＲコード画像８２ｂを作成することも可能である。
【００４１】
ここで、単一のＱＲコード画像８２ａと複数の分割ＱＲコード画像８２ｂとが同サイズに作成され、どちらも基準姿勢で印刷されると、ＱＲコード画像８２を読み取る際に、単一のＱＲコード画像８２ａであるか複数の分割ＱＲコード画像８２ｂであるかの判別がつかず、読み取り作業が煩わしい。そこで、本実施形態のテーププリンタ１では、印刷した複数の分割ＱＲコード画像８２ｂをワンセットとして視認判別できるよう構成されている。以下、図４ないし図７を参照して、その制御についてユーザによる操作手順を中心に説明する。
【００４２】
まず、キーボード５の電源キーを押下して電源をオンにすると、テーププリンタ１は、キー入力可能な操作状態で起動する。テーププリンタ１には、任意の文字列を入力・編集するための入力編集モード９０、ＱＲコード画像８２やバーコード画像を作成するコード画像作成モード９１等、複数のモードが用意されており、所定のキー操作により各モードが呼び出され、各モード専用の入力画面から、印刷画像がそれぞれ作成される。なお、起動時には、デフォルトとして入力編集モード９０となっている（図４（ａ）参照）。
【００４３】
入力編集モード９０は、その下半部が、印刷画像を入力・編集するための画像編集領域９２となっており、その上半部が、印刷画像の印刷イメージをプレビュー表示するためのプレビュー領域９３となっている。また、入力編集モード９０の上半部左側には、作成・編集中の印刷画像に対応したラベルの長さや、テープ識別センサ２５により検出された印刷テープＴの幅が表示される。
【００４４】
画像編集領域９２には、キーボード５から入力された文字列が横書きに表示され、文字列が複数行に亘る場合には、上下に並べて表示される。また、画像編集領域９２には、各文字列が何行目に位置するかを表示した行頭マーク９５と、編集入力位置を指標するカーソル９６とが表示される。プレビュー領域９３には、画像編集領域９２上で入力・編集された印刷画像の印刷イメージが白黒反転表示される。
【００４５】
ＱＲコード画像８２を作成する場合は、入力編集モード９０が表示された状態において、所定のキー操作を行い、コード画像を作成するためのコード画像作成モード９１を表示させる。表示されたコード画像作成モード９１の初期画面には、複数種のコードを選択可能に表示するコード選択メニュー１００が表示される（図４（ｂ）参照）。このコード選択メニュー１００には、１次元コードである各種バーコードや２次元コードであるＱＲコード等の選択肢が表示されている。このとき、「ＱＲコード」を選択すると、用途メニュー１０１が階層状に表示される（図４（ｃ）参照）。
【００４６】
用途メニュー１０１には、「一般」および「ＵＲＬ」の選択肢が選択可能に表示されており、作成するＱＲコード画像８２の用途に応じてどちらかを選択する。所望の文字列を作成したい場合には「一般」を選択し、また、ホームページ等のアドレスを作成したい場合には「ＵＲＬ」を選択する。用途メニュー１０１において、所望の選択肢を選択すると、誤り訂正レベルメニュー１０２が階層状に表示される（図４（ｄ）参照）。
【００４７】
誤り訂正レベルメニュー１０２には、「７％」、「１５％」、「２５％」および「３０％」の誤り訂正率８１の選択肢が選択可能に表示される。所望の誤り訂正率８１を選択すると、今度は、作成するＱＲコード画像８２の分割数を選択する分割設定メニュー１０３が表示される（図５（ｅ）参照）。
【００４８】
分割設定メニュー１０３には、「なし」、「２分割」、「３分割」および「４分割」の選択肢が選択可能に表示される。ここで、「なし」の選択肢が選択されると、後述するデータ入力画面１０５に移行し、データ入力画面１０５おいて入力される入力データ８０に基づいて、単一のＱＲコード画像８２ａが作成される。これ以外の選択肢、すなわち「２分割」、「３分割」および「４分割」の選択肢のいずれかが選択されると、分割ＱＲコード画像８２ｂ作成時において、選択した分割数に基づいて分割される。すなわち、後述するデータ入力画面１０５において入力される入力データ８０のデータ構成により、入力データ８０の分割位置が設定され、この設定に基づいて入力データ８０が分割され、分割した複数の入力データ８０に基づいて複数の分割ＱＲコード画像８２ｂが作成される。選択後、複数の分割ＱＲコード画像８２ｂのそれぞれの回転角度８３を設定する回転角度設定メニュー１０４へ移行する。
【００４９】
回転角度設定メニュー１０４は、「自動」、「しない」、「９０°」、「１８０°」および「２７０°」の選択肢が選択可能に表示される。また、この回転角度設定メニュー１０４は、上記で選択した分割数の分だけ順次表示される。すなわち、上記において「２分割」を選択した場合は、一方の分割ＱＲコード画像８２ｂを回転させる第１回転角度設定メニュー１０４ａが表示され（図５（ｆ）参照）、上記の選択肢を選択した後、他方の分割ＱＲコード画像８２ｂを回転させる第２回転角度設定メニュー１０４ｂが表示される（図５（ｇ）参照）。なお、設定された回転角度８３は、時計回りに回転するよう構成されている。
【００５０】
ここで、「自動」の選択肢は、１つ前のコード作成時に設定した回転角度８３であり、これを選択すると、ＲＡＭ６２内の回転角度記憶領域７５に記憶された回転角度８３で、分割ＱＲコード画像８２ｂを回転させる。これにより、１つ前のコード作成時と同様の回転角度８３で回転を行いたい場合には、改めて回転角度８３を設定する必要がない。各分割ＱＲコード画像８２ｂの回転角度８３を設定し終えると、今度は、分割ＱＲコード画像８２ｂに格納するデータを入力するデータ入力画面１０５へ移行する（図５（ｈ）参照）。
【００５１】
データ入力画面１０５は、その中央部にキーボード５から入力した入力データ８０を表示する入力データ表示領域１０６を有しており、入力データ表示領域１０６の左側には、入力した入力データ８０の行数を表示している。ここで、上記用途メニュー１０１において「一般」を選択した場合、所望の文字列から成る一連の入力データ８０をキーボード５により入力し、所定のキー操作により入力した入力データ８０を確定する（図６（ｉ）参照）。すると、上記の設定に基づいて、コード画像作成プログラム７０により複数の分割ＱＲコード画像８２ｂが作成されると共に、コード画像回転プログラム７１により回転された複数の分割ＱＲコード画像８２ｂが作成される。そして、入力編集モード９０に切り替えられ、その画像編集領域９２には、複数の分割ＱＲコード画像８２ｂを示すＱＲマーク１０７が表示される。すなわち、プレビュー領域９３には、回転された状態で作成された複数の分割ＱＲコード画像８２ｂが表示される（図６（ｊ）参照）。
【００５２】
ここで、更に、単一のＱＲコード画像８２ａまたは複数の分割ＱＲコード画像８２ｂを作成する場合には、上記と同様の操作手順に従って作成する（図６（ｋ）参照）。例えば、複数の分割ＱＲコード画像８２ｂと同サイズの単一のＱＲコード画像８２ａを作成し、キーボード５上の印刷ボタンを押下して、印刷を開始する。すると、最初に作成した複数の分割ＱＲコード画像８２ｂは、設定した回転角度８３に回転された状態で印刷され、また、次に作成した単一のＱＲコード画像８２ａは、基準姿勢のまま印刷される。すなわち、複数の分割ＱＲコード画像８２ｂは、切り出しシンボル８８の位置が変化した状態で印刷され、単一のＱＲコード画像８２ａは、切り出しシンボル８８の位置が基準位置の状態で印刷される（図７（ａ）参照）。
【００５３】
以上の構成によれば、複数の分割ＱＲコード画像８２ｂおよび単一のＱＲコード画像８２ａは、切り出しシンボル８８の位置の相違により、複数の分割ＱＲコード画像８２ｂと単一のＱＲコード画像８２ａとを判別することができ、これにより、複数の分割ＱＲコード画像８２ｂが、分割コードを構成していることを視認することができる。このため、単一のＱＲコード画像８２ａと複数の分割ＱＲコード画像８２ｂとが混在した状態であっても、読み取り作業を円滑に行うことができる。なお、複数の分割ＱＲコード画像８２ｂのそれぞれの回転角度８３は、分割コードを構成していると認識できる限り、相互に異なる回転角度８３であってもよいし、基準姿勢と異なる同一の回転角度８３であってもよい（図７（ｂ）参照）。また、本実施形態では、回転角度８３は、複数の分割ＱＲコード画像８２ｂの作成前に設定したが、作成後に設定して回転させてもよい。
【００５４】
次に、本発明に係る第２実施形態のテーププリンタ１について説明する。なお、重複した記載を避けるため、異なる部分についてのみ説明する。このテーププリンタ１には、そのＲＯＭ６１内に記憶されているコード画像回転プログラム７１に代えて、複数の分割ＱＲコード画像８２ｂを一体に囲む枠画像１１０を付す枠画像添付プログラムが記憶されている。以下、図８を参照しながら、ユーザによる操作手順を中心に説明する。
【００５５】
第１実施形態と同様に分割設定メニュー１０３において分割数を設定すると、枠画像１１０を付すか否かの選択肢が表示される（図８（ａ）参照）。ここで、枠画像１１０を設定すると、データ入力画面１０５に移行し、所望の文字列を入力した後、入力データ８０を確定すると、枠画像１１０が付された複数の分割ＱＲコード画像８２ｂが作成される。これにより、入力編集モード９０のプレビュー領域９３には、上記の設定に基づいて作成された複数の分割ＱＲコード画像８２ｂと、これを一体に囲むように付された枠画像１１０とが表示される（図８（ｂ）参照）。なお、枠画像１１０として、例えば、装飾付枠画像であってもよいし、また、かぎ括弧等のような画像で、複数の分割ＱＲコード画像８２ｂの四隅を囲むようにしてもよい。
【００５６】
以上の構成によれば、枠画像１１０内の複数の分割ＱＲコード画像８２ｂは、分割コードを構成する１の分割ＱＲコード画像８２ｂであるのか、単一のＱＲコード画像８２ａであるのかを視認することができる。このため、単一のＱＲコード画像８２ａが並んで配置されたとしても、複数の分割ＱＲコード画像８２ｂの読み取り作業を円滑に行うことができる。なお、枠画像１１０に代えて、キャラクタ画像１１２を付してもよい。図９（ｂ）に示すようなキャラクタ画像１１２では、分母の部分に分割数を表記すると共に、分子の部分に１、２と連続した番号を表記している。また、例えば、「分割１」、「分割２」等のキャラクタ画像１１２を付してもよい。つまり、複数の分割ＱＲコード画像８２ｂが一連の入力データ８０である旨を指標するキャラクタ画像１１２であれば、その範囲内で自由に付してよい。
【図面の簡単な説明】
【００５７】
【図１】本実施形態に係る閉蓋状態のテーププリンタの外観斜視図である。
【図２】本実施形態に係る開放状態のテーププリンタの外観斜視図である。
【図３】テーププリンタの制御ブロック図である。
【図４】ＱＲコード画像の作成序盤におけるディスプレイの模式図である。
【図５】ＱＲコード画像の作成中盤におけるディスプレイの模式図である。
【図６】ＱＲコード画像の作成終盤におけるディスプレイの模式図である。
【図７】テーププリンタにより作成されたラベルの図である。
【図８】第２実施形態に係るテーププリンタを用いて作成されるＱＲコード画像の作成中におけるディスプレイの模式図である。
【図９】第２実施形態に係るテーププリンタにより作成されたラベルの図である。
【符号の説明】
【００５８】
１…テーププリンタ  ７０…コード画像作成プログラム  ７１…コード画像回転プログラム  ７５…回転角度記憶領域  ８０…入力データ  ８１…誤り訂正率  ８２…２次元コード画像（ＱＲコード画像）  ８３…回転角度  ８８…切り出しシンボル  １１０…枠画像  １１２…キャラクタ画像
【図１】
0004830527.tif 000002
【図２】
0004830527.tif 000003
【図３】
0004830527.tif 000004
【図４】
0004830527.tif 000005
【図５】
0004830527.tif 000006
【図６】
0004830527.tif 000007
【図７】
0004830527.tif 000008
【図８】
0004830527.tif 000009
【図９】
0004830527.tif 000010